(57)【要約】【課題】遮蔽材の品質を維持可能とするロールスクリーンを提供する。【解決手段】本発明のロールスクリーン１は、遮蔽材（スクリーン４）を巻き取り可能に吊下支持する巻取パイプ９と、巻取パイプ９を支持する取付フレーム２と、巻取パイプ９を回転可能に無端状の操作コード３を掛装する操作プーリー１０を有し当該操作コード３による操作に応じてスクリーン４の間隔が離れるよう作動する可動フィン７とを備える。また、可動フィン７の左右方向の両端部にフィンカバー７２が設けられている。また、操作ユニット６は、前後方向に非対称の案内経路で無端状の操作コード３を案内可能とする複数のコード案内部材６ｃ，６ｄを収容している。【選択図】図２
2020094488.tif 000002
【特許請求の範囲】
【請求項１】
遮蔽材を有するロールスクリーンであって、
遮蔽材を巻き取り可能に吊下支持する巻取パイプと、
前記巻取パイプを支持する取付フレームと、
前記巻取パイプを回転可能に無端状の操作コードを掛装する操作プーリーを有し、前記無端状の操作コードによる操作に応じて回動可能に前記取付フレームに軸支され、前記巻取パイプと前記取付フレームとの間の隙間からの漏れ光を遮光可能とする可動フィンとを備えることを特徴とするロールスクリーン。
【請求項２】
遮蔽材を有するロールスクリーンであって、
遮蔽材を巻き取り可能に吊下支持する巻取パイプと、
前記巻取パイプを支持する取付フレームと、
前記巻取パイプと前記取付フレームとの間の隙間からの漏れ光を遮光可能とする可動フィンとを備え、
前記可動フィンの左右方向の両端部に、それぞれフィンカバーが設けられていることを特徴とするロールスクリーン。
【請求項３】
前記巻取パイプを回転可能に無端状の操作コードを掛装する操作プーリーを有し、前記無端状の操作コードによる操作時に、振り子動作する操作ユニットを更に備え、
前記可動フィンは、前記操作ユニットの振り子動作による力点位置を調整可能とする着脱可能な補助部材が設けられていることを特徴とする、請求項２に記載のロールスクリーン。
【請求項４】
前記補助部材は、前記可動フィンの左右方向の両端部にそれぞれ設けられたフィンカバーの開口部に対して嵌め込みにより着脱可能に構成されていることを特徴とする、請求項３に記載のロールスクリーン。
【請求項５】
遮蔽材を有するロールスクリーンであって、
遮蔽材を巻き取り可能に吊下支持する巻取パイプと、
前記巻取パイプを支持する取付フレームと、
前記巻取パイプを回転可能に無端状の操作コードを掛装する操作プーリーを有し、前記無端状の操作コードによる操作時に、振り子動作する操作ユニットとを備え、
前記操作ユニットは、前後方向に非対称の案内経路で前記無端状の操作コードを案内可能とする複数のコード案内部材を収容していることを特徴とするロールスクリーン。
【請求項６】
前記複数のコード案内部材は、２つのコード案内部材として構成され、
前記操作ユニットは、前記２つのコード案内部材を収容可能な２部材で構成されていることを特徴とする、請求項５に記載のロールスクリーン。
【請求項７】
前記巻取パイプが１枚のスクリーンを錘部材により折り返してなる該スクリーンの一端を巻き取り可能に吊下支持し、前記取付フレームが該スクリーンの他端を支持して、二重の遮蔽材が構成され、
前記錘部材が下限位置にある状態で当該二重の遮蔽材の下端は互いに非接触であり、当該二重の遮蔽材の上端は、互いに接触、又は前記下端よりも近接していることを特徴とする請求項１から６のいずれか一項に記載のロールスクリーン。
【請求項８】
前記巻取パイプが１枚のスクリーンを錘部材により折り返してなる該スクリーンの一端を巻き取り可能に吊下支持し、前記取付フレームが該スクリーンの他端を支持して、二重の遮蔽材が構成され、
前記操作ユニットの当該振り子動作が非作動の静止状態で当該二重の遮蔽材の上端が接触又は近接する際に、前記可動フィンの先端が前記巻取パイプの斜め上方で前記取付フレームによって支持される遮蔽材に当接するよう構成されていることを特徴とする請求項１から４のいずれか一項に記載のロールスクリーン。
【発明の詳細な説明】
【技術分野】
【０００１】
本発明は、遮蔽材を有するロールスクリーンに関する。
【背景技術】
【０００２】
従来、遮蔽材を有するロールスクリーンとして、例えば二重に重ね合わせたスクリーンを上下方向に相対移動させて室内への採光量を調節可能としたロールスクリーンがある。
【０００３】
このようなロールスクリーンにおけるスクリーンは、光を一部透過させる透過部と、光を遮る遮光部とが縞状に交互に形成され、このスクリーンが二重に重ね合わされた状態で吊下支持されている。そして、操作手段の操作により、前後のスクリーンを上下方向に相対移動させて、透過部と遮光部との重なり具合を調整することにより、採光量を調節可能としている。
【０００４】
例えば、二重のスクリーンを密着状態に維持しながらスクリーンを円滑に昇降可能とする構成が開示されている（例えば、特許文献１参照）。
【０００５】
ところで、スクリーンを巻き取る巻取軸（即ち、巻取パイプ）と、この巻取パイプを支持する枠体の下面との間の隙間からの光漏れを防止するために、枠体の下面に基端縁を回動可能に支持して巻取パイプの周面上に垂下させる隙間防止部材を設ける技法が開示されている（例えば、特許文献２参照）。
【０００６】
また、スクリーンを巻き取る巻取パイプと、この巻取パイプを支持する枠体の下面との間の隙間からの光漏れを防止するために、枠体の前側面に端部を搖動可能に支持する隙間防止部材を設ける技法が開示されている（例えば、特許文献３参照）。
【先行技術文献】
【特許文献】
【０００７】
【特許文献１】特許第３３１１９９４号明細書
【特許文献２】実公平４−４８３１６号公報
【特許文献３】特開２０１３−１３６９００号公報
【発明の概要】
【発明が解決しようとする課題】
【０００８】
特許文献１に開示される技法では、二重のスクリーンを密着状態に維持しているため、スクリーンの透過部と遮光部とを一致させて遮光状態としたときスクリーンの間隙から光が洩れるおそれが無くなる点で有効である。しかしながら、この技法では、昇降操作時に二重のスクリーンが密着して相対移動するため、スクリーンを痛めるおそれがあるという問題がある。
【０００９】
また、二重のスクリーンを垂下する場合に限らず、一重のスクリーンを垂下するロールスクリーンにおいて、このスクリーンを巻取り又は巻戻し可能とする巻取パイプと、巻取パイプを支持する枠体との間で光漏れが生じることがある。そこで、特許文献２，３のように、この光漏れを抑制するための光漏れ防止部材を別途、枠体にて可動に軸支させ、その先端部等を巻取りパイプに当接するよう設けることもある。しかしながら、このように光漏れ防止部材を巻取りパイプに当接するよう構成すると、巻取りパイプによるスクリーンの巻取り又は巻戻しにより当該光漏れ防止部材がスクリーンを痛めるおそれがある。また、このような可動式の光漏れ防止部材に対する安全性も考慮することが望まれる。
【００１０】
また、特許文献１に開示されるように、二重のスクリーンの錘部材（ウェイトバー）の開口部近傍にフェイスローラーを設けることで、当該二重のスクリーンの下端部を折り返し円滑に移動させるよう構成することができるが、その錘部材が大型化してしまい、意匠性の観点で改善の余地がある。
【００１１】
本発明の目的は、上述の問題に鑑みて、遮蔽材の品質を維持可能とするロールスクリーンを提供することにある。
【課題を解決するための手段】
【００１２】
本発明による一態様のロールスクリーンは、遮蔽材を有するロールスクリーンであって、遮蔽材を巻き取り可能に吊下支持する巻取パイプと、前記巻取パイプを支持する取付フレームと、前記巻取パイプを回転可能に無端状の操作コードを掛装する操作プーリーを有し、前記無端状の操作コードによる操作に応じて回動可能に前記取付フレームに軸支され、前記巻取パイプと前記取付フレームとの間の隙間からの漏れ光を遮光可能とする可動フィンとを備えることを特徴とする。
【００１３】
更に、本発明による一態様のロールスクリーンは、遮蔽材を有するロールスクリーンであって、遮蔽材を巻き取り可能に吊下支持する巻取パイプと、前記巻取パイプを支持する取付フレームと、前記巻取パイプと前記取付フレームとの間の隙間からの漏れ光を遮光可能とする可動フィンとを備え、前記可動フィンの左右方向の両端部に、それぞれフィンカバーが設けられていることを特徴とする。
【００１４】
また、本発明による一態様のロールスクリーンにおいて、前記巻取パイプを回転可能に無端状の操作コードを掛装する操作プーリーを有し、前記無端状の操作コードによる操作時に、振り子動作する操作ユニットを更に備え、前記可動フィンは、前記操作ユニットの振り子動作による力点位置を調整可能とする着脱可能な補助部材が設けられていることを特徴とする。
【００１５】
また、本発明による一態様のロールスクリーンにおいて、前記補助部材は、前記可動フィンの左右方向の両端部にそれぞれ設けられたフィンカバーの開口部に対して嵌め込みにより着脱可能に構成されていることを特徴とする。
【００１６】
更に、本発明による一態様のロールスクリーンは、遮蔽材を有するロールスクリーンであって、遮蔽材を巻き取り可能に吊下支持する巻取パイプと、前記巻取パイプを支持する取付フレームと、前記巻取パイプを回転可能に無端状の操作コードを掛装する操作プーリーを有し、前記無端状の操作コードによる操作時に、振り子動作する操作ユニットとを備え、前記操作ユニットは、前後方向に非対称の案内経路で前記無端状の操作コードを案内可能とする複数のコード案内部材を収容していることを特徴とする。
【００１７】
また、本発明による一態様のロールスクリーンにおいて、前記複数のコード案内部材は、２つのコード案内部材として構成され、前記操作ユニットは、前記２つのコード案内部材を収容可能な２部材で構成されていることを特徴とする。
【００１８】
また、本発明による一態様のロールスクリーンにおいて、前記巻取パイプが１枚のスクリーンを錘部材により折り返してなる該スクリーンの一端を巻き取り可能に吊下支持し、前記取付フレームが該スクリーンの他端を支持して、二重の遮蔽材が構成され、前記錘部材が下限位置にある状態で当該二重の遮蔽材の下端は互いに非接触であり、当該二重の遮蔽材の上端は、互いに接触、又は前記下端よりも近接していることを特徴とする。
【００１９】
また、本発明による一態様のロールスクリーンにおいて、前記巻取パイプが１枚のスクリーンを錘部材により折り返してなる該スクリーンの一端を巻き取り可能に吊下支持し、前記取付フレームが該スクリーンの他端を支持して、二重の遮蔽材が構成され、前記操作ユニットの当該振り子動作が非作動の静止状態で当該二重の遮蔽材の上端が接触又は近接する際に、前記可動フィンの先端が前記巻取パイプの斜め上方で前記取付フレームによって支持される遮蔽材に当接するよう構成されていることを特徴とする。
【発明の効果】
【００２０】
本発明によれば、昇降操作時に二重の遮蔽材を確実に離間させ、この二重の遮蔽材の摩擦力が無くなるか、又は低減されて相対移動するため、遮蔽材を痛めるおそれが無くなる。また、静止時には二重の遮蔽材の間隔を近接又は密着させることができ、その遮光性を向上させることができる。
【図面の簡単な説明】
【００２１】
【図１】本発明による第１実施形態のロールスクリーンの概略構成を示す正面図である。
【図２】本発明による第１実施形態のロールスクリーンの概略構成を示す側面透視図である。
【図３】本発明による第１実施形態のロールスクリーンにおける操作ユニット周辺の概略構成を示す分解斜視図である。
【図４】本発明による第１実施形態のロールスクリーンにおける操作ユニットの詳細構成を示す分解斜視図である。
【図５】（ａ）,（ｂ）,（ｃ）は、本発明による第１実施形態のロールスクリーンにおける操作ユニットの動作説明図である。
【図６】（ａ）,（ｂ）は、本発明による第１実施形態のロールスクリーンにおける操作ユニットの説明図である。
【図７】（ａ）,（ｂ）は、本発明による第１実施形態のロールスクリーンにおける操作ユニットの左右配置転換を説明する説明図である。
【図８】（ａ）,（ｂ）は、本発明による第１実施形態のロールスクリーンにおける可動フィンを説明する分解斜視図とその斜視図である。
【図９】（ａ）,（ｂ）は、それぞれ本発明による第１実施形態のロールスクリーンにおける可動フィンの構成例を示す部分的な構造を示す斜視図である。
【図１０】本発明による第２実施形態のロールスクリーンの概略構成を示す側面透視図である。
【発明を実施するための形態】
【００２２】
以下、図面を参照して、本発明による各実施形態のロールスクリーン１を説明する。尚、本願明細書中、図１に示すロールスクリーン１の正面図に対して、図示上方及び図示下方をスクリーン４の吊り下げ方向に準じてそれぞれ上方向（又は上側）及び下方向（又は下側）と定義し、図示左方向をロールスクリーン１の左側、及び、図示右方向をロールスクリーン１の右側と定義して説明する。また、以下に説明する例では、図１に示すロールスクリーン１の正面図に対して、視認する側を前側（又は室内側）、その反対側を後側（又は室外側）とし、ロールスクリーン１の前後方向と称するときは、図１の正面図における図示面に対して垂直な方向を云う。
【００２３】
〔第１実施形態〕
（全体構成）
まず、図１及び図２を参照して、本発明による第１実施形態のロールスクリーン１の構成を説明する。図１は、本発明による第１実施形態のロールスクリーン１の概略構成を示す正面図であり、図２は、本発明による第１実施形態のロールスクリーン１の概略構成を示す側面透視図である。
【００２４】
図１に示すように、本実施形態のロールスクリーン１は、ブラケット８を介して取付フレーム２の上端を天井面等の取付面に固定して設置される。そして、取付フレーム２の左右両端に支持部材２ａ，２ｂが固定され、その支持部材２ａ，２ｂから延びる固定軸１１によって、支持部材２ａ，２ｂ間に円筒状の巻取パイプ９が回転可能に支持される。
【００２５】
巻取パイプ９の右端部には、巻取パイプ９及び支持部材２ａ，２ｂに対して相対回動可能な操作ユニット６が設けられている。また、操作ユニット６内には、操作プーリー１０が収容され、この操作プーリー１０に掛回される無端状の操作コード３が垂下されている。そして、操作コード３の操作により巻取パイプ９を回転操作可能とするよう構成されている。この操作コード３は、所定ピッチで連続するボール部３ａ及びチェーン部３ｂからなる無端状のボールチェーンで構成され、操作プーリー１０の表面は、そのボール部３ａに適合する形状の凹凸を有するように構成される。
【００２６】
巻取パイプ９は、スクリーン４の一辺を取着して巻き取り可能に吊下支持しており、巻取パイプ９から垂下し、錘部材として機能するウェイトバー５を介して折り返されたスクリーン４の他辺は、巻取パイプ９よりも上部に位置する取付フレーム２の室外側端面に設けられた固定部２２（図２参照）に取着されている。固定部２２は、図２に示すように、スクリーン４の長さを調整可能にして、スクリーン４の端部を着脱可能に係止することができる。そして、巻取パイプ９と固定部２２との間で垂下されるスクリーン４の下端部には、ウェイトバー５の両端部で回転可能に支持されるローラー１５が挿通されている。これにより、スクリーン４はウェイトバー５の重量に基づいて張設される。
【００２７】
ところで、このような二重のスクリーン４を垂下するロールスクリーンの場合、そのウェイトバー５に設けられるローラー１５によって二重のスクリーンの下端部を折り返し円滑に移動させるよう構成することができるが、図２に示すように、そのウェイトバー５の開口部５ａ近傍に当該スクリーン４と当接しその開口幅を調節可能とする案内部材５ｂを設けるのが好適である。また、この案内部材５ｂは、図２に示すように、スクリーン４との擦れ音を低減させるよう、その表面を丸めた形状とするのが好適である。これにより、そのウェイトバー５の大型化を避けつつ、円滑な動作を実現することができる。ただし、例えば二重のスクリーン４を帯電性素材の生地（例えばポリエステル等）で構成し、この案内部材５ｂも帯電性素材で形成すると（特に電荷を帯びる極性が異なると）、当該スクリーン４と案内部材５ｂとの接触（擦れ合い）で静電気の摩擦帯電や剥離帯電が発生し当該スクリーン４や案内部材５ｂに静電気が帯電されてしまうおそれがある。このような静電気の帯電は、例えば空気中の埃等を吸着してしまい、結果としてその円滑な動作や、前後スクリーン同士の近接・離反の変動を起こし、意匠性を損なう原因となる。そこで、当該スクリーン４や案内部材５ｂを双方とも帯電防止素材で形成することが望ましいが、そのいずれか一方を帯電防止素材で形成することで当該静電気の発生を抑制することができる。特に、使用するスクリーン４の素材の自由度を高めることを考慮すれば、案内部材５ｂを帯電防止素材で形成することが望ましい。このような帯電防止素材は、例えばカーボンや導電性フィラー等の導電性付与材を含む樹脂材など、成形可能で帯電防止効果のある既存の素材であればよい。また、導電性付与材を使用せず、スクリーン４がポリエステルの場合、案内部材５ｂをＰＥＴ樹脂で成形することも静電気抑制に良好である。
【００２８】
従って、操作コード３を操作して巻取パイプ９をスクリーン巻取り方向へ回転させるとウェイトバー５が上昇し、巻取パイプ９をスクリーン巻戻し方向へ回転させるとウェイトバー５が下降する。
【００２９】
また、巻取パイプ９内において、その左端側にはスクリーン４の巻上時の操作力を軽減するスプリングモーター、右端側にはスクリーン４の自重降下を防止するストッパー装置等が収容されている（図示せず）。
【００３０】
スクリーン４は、光を一部透過させる透過部４ｂと、光を遮る遮光部４ａとが縞状に交互に形成され、このスクリーン４が二重に重ね合わされた状態で吊下支持されているため、操作コード３の操作により、前後のスクリーン４を上下方向に相対移動させて、透過部４ｂと遮光部４ａとの重なり具合を調整することにより、採光量が調節可能となっている。尚、光を一部透過させる透過部４ｂと、光を遮る遮光部４ａとが縞状に交互に形成するピッチは、任意に定めることができる。
【００３１】
ところで、本発明に係るロールスクリーン１では、詳細は後述するが、図２に示すように、操作ユニット６は、巻取パイプ９及び支持部材２ａ，２ｂに対して相対回動可能に設けられ、操作コード３による操作時に、振り子動作するようになっている。取付フレーム２の底部には、詳細に後述する可動フィン７の基軸を支持する支持部２１が設けられている。好適には可動フィン７の上下方向の長さは、取付フレーム２と巻取パイプ９との間の隙間を塞ぐのに十分な長さを有する。このように、可動フィン７は、取付フレーム２の長手方向（左右後方）のほぼ全長に亘って設けられ、取付フレーム２に対して前後方向に相対回動可能に支持される。
【００３２】
また、図２に示すように、ウェイトバー４が下限位置にある状態で、当該二重のスクリーン４の下端は互いに非接触であり、当該二重のスクリーン４の上端は、互いに接触、又はその下端よりも近接している。そして、操作ユニット６の当該振り子動作が非作動の静止状態で当該二重のスクリーン４の上端が接触又は近接している際に、可動フィン７の先端が巻取パイプ９の斜め上方で、取付フレーム２によって支持される側のスクリーン４に当接するよう構成されている。
【００３３】
そして、操作ユニット６の振り子動作に応じて操作ユニット６の突出片６１が可動フィン７の左右方向の端部に設けられたフィンカバー７２の補助部材７１を押圧することで、当該二重のスクリーン４の間隔が離れるよう作動する。この補助部材７１は、フィンカバー７２に対して着脱可能となっており、操作ユニット６の振り子動作による力点位置を調整可能とするために、可動フィン７の当該長さに応じて当該押圧に要する作用力を変更することができる。このように、可動フィン７は、フィンカバー７２及びその補助部材７１とともに、操作ユニット６の振り子動作に応じて当該二重のスクリーン４の間隔が離れるよう作動する遮蔽材間隔調整機構として構成される。
【００３４】
つまり、操作ユニット６の振り子動作が無いとした場合、ウェイトバー４が下限位置にある状態で、当該二重のスクリーン４の上端が互いに常に接触しているときはもとより、常に接触しないまでも近接している静止状態では、巻取パイプ９による巻取りが行われスクリーン４が巻太りして接触することがある。一方、本発明に係る構成では、操作ユニット６に振り子動作を行わせることで、当該二重のスクリーン４の間隔が離れるよう作動するため、当該接触によるスクリーン４の損傷を抑制することができる。尚、操作ユニット６の当該振り子動作が非作動の静止状態で当該二重のスクリーン４の上端が接触している方が遮光状態としたときの遮蔽性を向上させることができるため、好ましい。
【００３５】
特に、操作ユニット６は、無端状の操作コード３を掛装する操作プーリー１０を、その両側から挟み込むことで相対回動可能に収容して支持する第１及び第２操作ユニット部材６ａ，６ｂが設けられる。また、第１及び第２操作ユニット部材６ａ，６ｂ間に、操作プーリー１０から巻取り用に垂下する操作コード３を案内する第１コード案内部材６ｃ、及び操作プーリー１０から巻戻し用に垂下する操作コード３を案内する第２コード案内部材６ｄとを有するよう構成される。そして、第１及び第２コード案内部材６ｃ，６ｄは、第１及び第２操作ユニット部材６ａ，６ｂの間の下方に位置するコード案内壁６４を利用して、それぞれ第１コード案内部としての案内経路及び第２コード案内部としての案内経路が形成され、無端状の操作コード３を操作プーリー１０に対する掛装位置から鉛直線上よりも室外側へ案内するように、互いに異なる案内経路で操作コード３を案内するようになっている。
【００３６】
（操作ユニット及び遮蔽材間隔調整機構）
以下、図３及び図４を参照して、操作ユニット６及びその周辺の具体的な構成について説明する。図３は、本発明による第１実施形態のロールスクリーンにおける操作ユニット６周辺の概略構成を示す分解斜視図である。図４は、その操作ユニット６の詳細構成を示す分解斜視図である。
【００３７】
まず、図３を参照するに、取付フレーム２の底部には、可動フィン７の基軸を支持する支持部２１が設けられている。従って、可動フィン７は、取付フレーム２の長手方向（左右後方）のほぼ全長に亘って設けられ、取付フレーム２に対して前後方向に相対回動可能に支持される。
【００３８】
操作ユニット６は、無端状の操作コード３を掛装する操作プーリー１０及び操作プーリー１０から垂下する操作コード３を案内する第１及び第２コード案内部材６ｃ、６ｄを内側に収容し、操作プーリー１０に対して相対回動可能に挟み込んで一体化する２つの操作ユニット部材６ａ，６ｂから構成される。この２つの操作ユニット部材６ａ，６ｂは、一体化のために取付ネジ６０を用いて固定することができる。
【００３９】
操作プーリー１０は、支持部材２ａから延びる固定軸１１を回転軸とするための透孔が設けられている。また、操作プーリー１０の右端側には操作コード３を掛装する凹凸が形成され、操作プーリー１０の左端側には操作コード３を掛装する外周よりも拡径したフランジを介して、巻取パイプ９の右端内周面に嵌合する嵌合部１０ａが設けられる。このため、操作プーリー１０の回転に伴い巻取パイプ９が回転可能に支持部材２ａに支持される。
【００４０】
スクリーン４（図３では図示略）は、巻取パイプ９と固定部２２との間で垂下され、ウェイトバー５の重量に基づいて張設される。
【００４１】
そして、第１及び第２コード案内部材６ｃ，６ｄは、第１及び第２操作ユニット部材６ａ，６ｂの間の下方に位置するコード案内壁６４を利用して、非振り子動作時に無端状の操作コード３を操作プーリー１０に対する掛装位置から鉛直線上よりも室外側へ案内するように、互いに異なる案内経路で操作コード３を案内する。第１及び第２コード案内部材６ｃ，６ｄを、本例では第１及び第２操作ユニット部材６ａ，６ｂに対して着脱可能に構成しているが、これは、図示するように操作ユニット６を右側に配置した右操作で構成するときと、操作ユニット６を左側に配置した左操作で構成するときに、同じ部材を利用して配置転換可能とするためである。
【００４２】
このように、操作ユニット６は、巻取パイプ９及び支持部材２ａ，２ｂに対して相対回動可能に設けられ、これにより操作コード３による操作時に振り子動作する。
【００４３】
そして、操作ユニット６の振り子動作に応じて操作ユニット６の突出片６１が可動フィン７の左右方向の端部に設けられたフィンカバー７２の補助部材７１を押圧することで、当該二重のスクリーン４の間隔が離れるよう作動する。この補助部材７１の詳細は後述するが、フィンカバー７２に対して着脱可能となっている。これにより、操作ユニット６の振り子動作による力点位置を調整可能とし、可動フィン７の当該長さに応じて当該押圧に要する作用力を変更することができる。更には、図示するように操作ユニット６を右側に配置した右操作で構成するときには、補助部材７１は可動フィン７の右端側のフィンカバー７２に取着可能とし、操作ユニット６を左側に配置した左操作で構成するときには、補助部材７１は可動フィン７の左端側のフィンカバー７２に取着できるようになっている。
【００４４】
このようにして、可動フィン７は、フィンカバー７２及びその補助部材７１とともに、操作ユニット６の振り子動作に応じて当該二重のスクリーン４の間隔が離れるよう作動する遮蔽材間隔調整機構として構成される。
【００４５】
次に、図４を参照して操作ユニット６を構成する第１及び第２操作ユニット部材６ａ，６ｂ及び第１及び第２コード案内部材６ｃ，６ｄについて、その詳細構造を説明する。図４に示すように、第１及び第２操作ユニット部材６ａ，６ｂは、それぞれ概ね逆雫状の外形を有する概ねプレート部材で形成され、互いに操作プーリー１０を内側に収容し、相対回動可能に挟み込んで支持可能に係合するようになっている。このため、第１及び第２操作ユニット部材６ａ，６ｂは、それぞれ支持する操作プーリー１０の外径に合わせて略円形の開口支持部６５ｆ，６６ｆが形成されている。即ち、操作プーリー１０の右端側には筒状に突起した突起部が形成されており（図示せず）、この突起部と係合するべく、第１操作ユニット部材６ａには、当該突起部の外径よりもわずかに拡径した丸孔状に開口支持部６５ｆが形成される。そして、操作プーリー１０の左端側における操作コード３を掛装する外周よりも拡径したフランジと係合するべく、第２操作ユニット部材６ｂには、当該フランジの外径よりもわずかに拡径した丸孔状に開口支持部６６ｆが形成される。
【００４６】
そして、第１及び第２操作ユニット部材６ａ，６ｂの上方には、当該振り子動作が非作動状態（静止状態）で操作プーリー１０の軸中心を通る水平線上より上部にて、互いに一体化して略半円状の断面形状を形成するべく係合方向に突出するコードカバー部６２，６３がそれぞれ形成されている。そして、コードカバー部６２の内壁には二箇所に爪部６２ａが形成され、この爪部６２ａと嵌合可能に、コードカバー部６３には二箇所に嵌合孔６３ａが設けられており、コードカバー部６２，６３が重なって一体嵌合し、コードカバーが形成され、これにより、掛装する操作コード３が操作プーリー１０から外れず滑りを生じさせないようにすることができる。
【００４７】
尚、第１操作ユニット部材６ａの頂部には、略逆台形状の突出片６１が形成され、この突出片６１には略方形で階段状に凹みを有する凹溝６１ａが形成されている。そして、この凹溝６１ａと係合して埋没するように、第２操作ユニット部材６ｂの頂部には、略方形で階段状に突出する凸片６３ｂが形成されている。
【００４８】
一方、第２操作ユニット部材６ｂの下方には、係合方向に突出する略四角箱状のコード案内壁６４が形成され、第１操作ユニット部材６ａの下方には、このコード案内壁６４の上方に設けられている内溝６６ｅと係合するよう、係合方向に突出する略Ｉ断面形状の係合片６５ｅが設けられている。
【００４９】
また、第１操作ユニット部材６ａの下方に設けられているビス孔６５ｄと、第２操作ユニット部材６ｂのコード案内壁６４の下方に設けられているビス孔６６ｄは、第１及び第２操作ユニット部材６ａ，６ｂを係合させて固定させるために、取付ネジ６０（図３参照）を用いて固定可能とするために設けられている。
【００５０】
そして、第１操作ユニット部材６ａには、第１及び第２コード案内部材６ｃ，６ｄをそれぞれ支持するために係合方向へ突出する支持棒６５ｂが二箇所に形成され、各支持棒６５ｂは、それぞれ第１及び第２コード案内部材６ｃ，６ｄに設けられた透孔６７ｂ，６８ｂを経て第２操作ユニット部材６ｂに二箇所で設けられたそれぞれの支持棒受部６６ｂと係合可能となっている。
【００５１】
また、第１操作ユニット部材６ａには、第１及び第２コード案内部材６ｃ，６ｄをそれぞれの形状に合わせて支持可能とするための係合溝６５ａ，６５ｃが前後方向に対称の位置関係で二箇所に設けられており、同じく、第２操作ユニット部材６ｂにも、第１及び第２コード案内部材６ｃ，６ｄをそれぞれの形状に合わせて支持可能とするための係合溝６６ａ，６６ｃが前後方向に対称の位置関係で二箇所に設けられている。
【００５２】
第１コード案内部材６ｃは、図示するように幅太の略三角柱状の本体６７を有し、支持棒６５ｂを挿通可能に、その柱方向に貫通する透孔６７ｂと、係合溝６５ｃ，６６ｃと係合可能に、その略三角面の両側にて対称的に突起する突起部６７ｃが設けられている。
【００５３】
第２コード案内部材６ｄは、図示するように縦長に幅細の略三角柱状の本体６８を有し、支持棒６５ｂを挿通可能に、その柱方向に貫通する透孔６８ｂと、係合溝６５ａ，６６ａと係合可能に、その略三角面の両側にて対称的に突起する突起部６８ａが設けられている。
【００５４】
従って、第１及び第２コード案内部材６ｃ，６ｄは、第１及び第２操作ユニット部材６ａ，６ｂに対して、前後に配置を転換して装着可能となっている。
【００５５】
そして、第１及び第２コード案内部材６ｃ，６ｄは、第１及び第２操作ユニット部材６ａ，６ｂの間の下方に位置するコード案内壁６４を利用して、無端状の操作コード３を操作プーリー１０に対する掛装位置から鉛直線上よりも室外側へ案内するように、互いに異なる案内経路で操作コード３を案内するようになっている。
【００５６】
より具体的に、図５を参照して、操作ユニット６の動作について説明する。まず、図５（ａ）を参照するに、操作ユニット６は、操作プーリー１０（及び巻取パイプ９）に対して相対回動可能に支持され、ウェイトバー５の下限位置、中間位置及び上限位置のそれぞれの静止時では、操作ユニット６には自重（スクリーン４やウェイトバー５等の重量）で前後のスクリーン４が密着する方向にトルクが働く。これにより、操作コード３は第１及び第２コード案内部材６ｃ，６ｄを基準に垂下される。
【００５７】
この静止時では、ウェイトバー５が下限位置にあるとき、或いはウェイトバー５の中間位置及び上限位置で巻取パイプ９に所定の巻取径でスクリーン４が巻き取られている状態にあるとき、二重のスクリーン４の間隔を近接又は密着させる位置（二重のスクリーン４の間隔ｄ１）で安定化するようになっている。従って、二重のスクリーン４の透過部４ｂと遮光部４ａとをずらして半透過状態とすることや、スクリーン４の透過部４ｂと遮光部４ａとを一致させて遮光状態とすることができ、特に、遮光状態としたときの遮光性を向上させることができる。尚、本実施形態の取付フレーム２の固定部２２は、スクリーン４の長さを調整可能に係止するよう構成されているため、例えばウェイトバー５が下限位置にあるときに遮蔽状態とするようスクリーン４の長さを調整するのが容易な構造となっている。また、可動フィン７は、アルミニウムなどの金属材料か、又は非透光性の樹脂材料で形成することで、取付フレーム２と巻取パイプ９との間の隙間から入射しうる外光を遮蔽することもできる。
【００５８】
次に、図５（ｂ）を参照するに、例えばウェイトバー５が下限位置や中間位置にある状態からウェイトバー５を上昇させるよう操作コード３を操作すると、巻取パイプ９にスクリーン４が巻き取られる。このとき、操作コード３が室内側の第２コード案内部材６ｄに当接して操作ユニット６に時計回りのトルクが加わることにより操作ユニット６が振り子動作し、操作ユニット部材６ａの突出片６１の側端部が可動フィン７を回動させ、室外側のスクリーン４を押圧する。このため、二重のスクリーン４の操作時の間隔ｄ２が、静止時の間隔ｄ１より大きくなるよう構成されている。従って、上昇操作時に二重のスクリーン４が摩擦することなく、或いは摩擦はしても昇降中の一部分的か、又は摩擦力が低減されて相対移動するため、スクリーン４を痛めるおそれが無くなる。
【００５９】
同様に、図５（ｃ）を参照するに、例えばウェイトバー５が中間位置や上限位置にある状態からウェイトバー５を下降させるよう操作コード３を操作すると、巻取パイプ９に巻き取られていたスクリーン４が下降する。このとき、操作コード３が室外側のコード案内部６ｃに当接して操作ユニット６に時計回りのトルクが加わることにより操作ユニット６が振り子動作し、操作ユニット部材６ａの突出片６１の側端部が可動フィン７を回動させ、室外側のスクリーン４を押圧する。このため、二重のスクリーン４の操作時の間隔ｄ３が、静止時の間隔ｄ１より大きくなるよう構成されている。従って、下降操作時に二重のスクリーン４が摩擦することなく、或いは摩擦はしても昇降中の一部分的か、又は摩擦力が低減されて相対移動するため、スクリーン４を痛めるおそれが無くなる。
【００６０】
尚、スクリーン４の生地が巻き太る上限付近の一部では摩擦が発生したとしても、摩擦力が低減される方向に作用する。
【００６１】
また、上昇操作時には、室内側の第２コード案内部材６ｄとコード案内壁６４との間で操作コード３のボール部３ａの外形よりわずかに大きい案内経路は、所定ピッチで連続する少なくとも２つのボール部３ａが第２コード案内部材６ｄに当接するよう形成されているため、操作コード３の操作時における操作ユニット６内のガタツキを抑制するとともに、ボール部３ａと第２コード案内部材６ｄとの干渉で生じうる操作音を軽減させることができる。また、下降操作時には、所定ピッチで連続する少なくとも２つのボール部３ａが第１コード案内部材６ｃに当接するよう形成されているため、ボール部３ａと第１コード案内部材６ｃとの干渉で生じうる操作音を軽減させることができる。更に、室外側の第１コード案内部材６ｃとコード案内壁６４との間で操作コード３のボール部３ａの外形より十分に大きい案内経路が確保されているため、逆向きの振り子動作や、干渉で生じうる操作音が発生しにくいものとなっている。
【００６２】
即ち、本発明に係る操作ユニット６では、図６（ａ）における破線Ａ，Ｂで示すように、非振り子動作時（静止時）に、無端状の操作コード３を操作プーリー１０に対する掛装位置から鉛直線上よりも室外側へ案内するように構成され、垂下される各操作コード３は、互いに異なる案内経路で案内されるため、無端状の操作コード３を前方に引く場合に限らず、鉛直下方に引いても確実に振り子動作するようになり、その操作性を向上させている。また、図６（ｂ）における開口角θで示すように、非振り子動作時（静止時）に、室外側に垂下される操作手段の操作コード３の出口は、操作プーリー１０の軸中心を通る水平線上より下方から開口しているため、室外側へと引き込みやすい下降操作時の操作コード３による逆向きの振り子動作を抑制することができる。そして、操作プーリー１０と操作ユニット６との干渉で生じうる操作音も発生しにくいものとなっている。
【００６３】
また、第１及び第２コード案内部材６ｃ，６ｄを第１及び第２操作ユニット部材６ａ，６ｂのいずれか一方に対して一体化したものとすることも可能であるが、着脱可能に構成することで、図７（ａ）に示すように操作ユニット６を左側に配置した左操作で構成するとき、及び図７（ｂ）に示すように操作ユニット６を右側に配置した右操作で構成するときのいずれにおいても、第１コード案内部材６ｃを室外側に、第２コード案内部材６ｄを室内側に取着可能としており、同一部材で配置転換が可能となる。このように配置転換を可能とする部材構成とすることで、操作ユニット６の部品管理負担を軽減させ、強いてはコストを削減することができる。
【００６４】
また、可動フィン７は、その左右方向の端部に設けられたフィンカバー７２に対して着脱可能に補助部材７１を別部材とすることで、この補助部材７１の有無や、補助部材７１の形状変化で操作ユニット６の振り子動作による力点位置を調整可能とし、ロールスクリーンの種々の形態への適応性・共用性を高めることができる。例えば、可動フィン７の上下方向の長さに応じて操作ユニット６の振り子動作に係る押圧に要する作用力を変更し、操作力を低減させるよう構成することができる。
【００６５】
また、可動フィン７は、フィンカバー７２及び補助部材７１を一体化したものとすることも可能であるが、その左右方向の端部に設置するフィンカバー７２の形状を共通化し、補助部材７１を別部材として、その左右方向の端部に設けるフィンカバー７２のいずれにも着脱可能に構成するのが好適である。これにより、フィンカバー７２及び補助部材７１の部品管理負担を軽減させ、強いてはコストを削減することができる。
【００６６】
より具体的には、補助部材７１を別部材として可動フィン７にフィンカバー７２を設ける例を図８に示している。図８（ａ）は可動フィン７を説明する分解斜視図であり、図８（ｂ）は可動フィン７に補助部材７１を別部材としてフィンカバー７２に組み付けた様子を示す斜視図である。ここでは、アルミニウム製の可動フィン７に、合成樹脂性のフィンカバー７２及び補助部材７１を例に説明するが、可動フィン７も合成樹脂としてもよい。
【００６７】
図８（ａ）に示すように、フィンカバー７２は、可動フィン７の左右両端のいずれにも取着可能に構成され、補助部材７１を別部材として嵌合により一体化できるようになっている。フィンカバー７２は、略菱形板片７２ａを側部に持つ略くの字の断面形状の本体プレート７２ｂで形成されている。その略菱形板片７２ａは、その略中央にネジ孔７２ｃが形成されており、可動フィン７の一側端部を覆うことができる。また、本体プレート７２ｂの頂部には切欠き７２ｄが設けられ、これにより取付フレーム２の底部に設けられた支持部２１により軸支させる基軸７ａを本体プレート７２ｂから突出させることができる。そして、可動フィン７の一側端部にフィンカバー７２を装着し、ネジ孔７２ｃを経て可動フィン７の凹部７ｂに螺合する固定ネジ７３により固着させることができる。
【００６８】
また、フィンカバー７２の本体プレート７２ｂには開口部７２ｅが設けられており、補助部材７１における略くの字断面形状の被当接部７１ａを露出させるよう補助部材７１を装着できるようになっている。補助部材７１は二股状の脚部７１ｂが形成されており、上下方向に弾性変形可能である。そして、この脚部７１ｂには左右方向に突出する突当部７１ｃが形成されており、この突当部７１ｃがフィンカバー７２の開口部７２ｅの周囲の内壁７２ｆに当接して位置決めされる。そして、この位置決めされた状態で保持されるよう、フィンカバー７２には、弾性変形させて装着させた補助部材７１の脚部７１ｂを上下から係止可能とする爪部７２ｇが上下二箇所に設けられている。このようにして、可動フィン７に補助部材７１を別部材としてフィンカバー７２に組み付けた様子を図８（ｂ）に示している。
【００６９】
従って、可動フィン７は、その左右方向の端部に設けるフィンカバー７２の形状を共通化し、補助部材７１をいずれのフィンカバー７２にも着脱可能に構成することができる。
【００７０】
また、可動フィン７の上下方向長さは、適用するロールスクリーン１における取付フレーム２の構造や、巻取パイプ９の巻取径、或いは取付フレーム２と巻取パイプ９との間の距離に応じて定めることができ、その断面形状も特に限定する必要はない。ただし、フィンカバー７２及び補助部材７１の部品管理負担を軽減させ、強いてはコストを削減する趣旨から、例えば図９（ａ）に示すように上述した可動フィン７の形態（上下方向長さａ）の他、図９（ｂ）に示すような可動フィン７の形態（上下方向長さｂ＜ａ）も用意し、補助部材７１の適用の有無を加えた種類数で、種々のロールスクリーン１に適用可能に運用することができる。尚、図９（ｂ）に示すような可動フィン７の形態では、比較的に大きく屈曲させた断面形状を有する例を示しているが、これに限定する必要はない。
【００７１】
以上のように、本実施形態のロールスクリーン１では、昇降操作時に二重のスクリーン４を確実に離間させ、二重のスクリーンの摩擦力が無くなるか、又は低減されて相対移動するため、スクリーン４を痛めるおそれが無くなる。そして、静止時には二重のスクリーン４の間隔を近接又は密着させることができ、透過部４ｂと遮光部４ａとを有するスクリーン４では、その透過部と遮光部とを一致させて遮光状態としたときの遮光性を向上させることができる。
【００７２】
特に、第１及び第２コード案内部材６ｃ，６ｄは、第１及び第２操作ユニット部材６ａ，６ｂの間の下方に位置するコード案内壁６４を利用して、非振り子動作時（静止時）に無端状の操作コード３を操作プーリー１０に対する掛装位置から鉛直線上よりも室外側へ案内するように、互いに異なる案内経路で操作コード３を案内することで、その操作性を向上させることができる。
【００７３】
また、非振り子動作時（静止時）に、室外側に垂下される操作手段の操作コード３の出口が操作プーリー１０の軸中心を通る水平線上より下方に開口するよう操作ユニット６を構成することで、逆向きの振り子動作を抑制することができ、その際の操作プーリー１０と操作ユニット６との干渉で生じうる操作音も発生しにくいものとすることができる。
【００７４】
また、可動フィン７は、その上下方向長さに応じて当該振り子動作に係る押圧に要する作用力を変更するよう、着脱可能な補助部材７１により操作ユニット６の振り子動作による力点位置を調整可能に構成することで、その操作力を軽減するよう構成することができる。
【００７５】
また、操作ユニット６や可動フィン７を右側操作と左側操作を配置転換可能にする部材で構成することで、部品管理負担を軽減させ、強いてはコストを削減することができる。
【００７６】
また、可動フィン７は、取付フレーム２と巻取パイプ９との間の隙間を塞ぐのに十分な長さとすることで、スクリーン４の遮光性に関わらず、その隙間からの光漏れも防止することが可能となる。
【００７７】
〔第２実施形態〕
次に、図１０を参照して、本発明による第２実施形態のロールスクリーン１の構成を説明する。尚、図１０において、第１実施形態と同様の構成要素には同一の参照番号を付している。
【００７８】
第１実施形態では、１枚のスクリーン４を折り返した二重のスクリーン４とする例を説明したが、１枚のスクリーン４と、取付フレーム２と巻取パイプ９との間の隙間を塞ぐのに十分な長さを有する光漏れ防止部材４Ｓとを用いて二重の遮蔽材とすることができ、これを第２実施形態として説明する。
【００７９】
例えば、可動フィン７を透光性の合成樹脂で構成するときや、金属材料で構成する際にもその軽量化のために開口を持たせるような場合、或いは取付フレーム２と巻取パイプ９との間の隙間を塞ぐのに不十分な長さとした場合など、取付フレーム２と巻取パイプ９との間の隙間から光漏れが生じるおそれがある。このとき、取付フレーム２と巻取パイプ９との間の隙間を塞ぐのに十分な長さを有する光漏れ防止部材４Ｓを、例えば図１０に示すように取付フレーム２の固定部２２から垂下することで、その遮光性を高めるようにすることができる。
【００８０】
そして、図１０に示すように、１枚のスクリーン４と光漏れ防止部材４Ｓとで二重の遮蔽材を構成する場合も、第１実施形態で説明したように、操作ユニット６及び可動フィン７を構成することで、スクリーン４の昇降操作時に、スクリーン４と光漏れ防止部材４Ｓとを確実に離間させ、二重の遮蔽材の摩擦力が無くなるか、又は低減されて相対移動させ、スクリーン４や光漏れ防止部材４Ｓを痛めるおそれが無くすことができる。また、静止時にはスクリーン４と光漏れ防止部材４Ｓとの間隔を近接又は密着させることができ、その遮光性を向上させることができる。更には、スクリーン４の昇降操作時に、生地等で形成した光漏れ防止部材４Ｓが捲り上がるのを防止することもできる。
【００８１】
〔他の実施形態〕
第１実施形態又は第２実施形態の変形例として、例えば図１０に示すような光漏れ防止部材４Ｓを用いずに、１枚のスクリーン４を吊下支持する巻取パイプ９と取付フレーム２との間の隙間からの漏れ光を遮光可能とする目的で、当該可動フィン７を光漏れ防止部材として構成することができる。
【００８２】
したがって、上述した各実施形態に関して、二重のスクリーン４を垂下する場合に限らず、一重のスクリーン４を垂下するロールスクリーンにおいて、巻取パイプ９と取付フレーム２との間で光漏れを抑制するよう可動フィン７を設ける際に、操作ユニット６を当該振り子動作させることにより、巻取りパイプ９によるスクリーン４の巻取り又は巻戻し時にスクリーン４と可動フィン７とが当接することが無くなり、可動フィン７によってスクリーン４を痛めるおそれを解消することができる。
【００８３】
また、操作ユニット６を当該振り子動作が非作動の静止状態では、無端状の操作コード３を操作プーリー１０に対する掛装位置から鉛直線上よりも室外側へ案内するよう構成することで逆向きの振り子動作を抑制するため、例えば逆向きの振り子動作に起因して光漏れが起こりうる場合でも、より確実に防止できるようになる。
【００８４】
更に、上述した各実施形態に関して、可動フィン７の左右方向の両端部に、それぞれフィンカバー７２を設けることで、例えば可動フィン７を金属材料で形成した際のエッジ切断加工で生じうる両端部の切断面を合成樹脂製のフィンカバー７２で覆うことができるため、操作ユニット６の振り子動作に伴って作動する可動フィン７の安全性を高めることができる。
【００８５】
また、可動フィン７は、上述したように、操作ユニット６の振り子動作による力点位置を調整可能とする着脱可能な補助部材７１を用意することで、様々な形態のロールスクリーンに対して、可動フィン７及びフィンカバー７２を共用可能な部材とすることができ、その低廉化に寄与する。特に、補助部材７１は、フィンカバー７２の開口部７２ｅに対して嵌め込みにより着脱可能に構成することで、共用部材としての利便性を高めることができる。
【００８６】
また、前述した第１実施形態の例では、１枚のスクリーンを折り返した二重のスクリーン４として、光を一部透過させる透過部４ｂと、光を遮る遮光部４ａとが縞状に交互に形成されている例を説明したが、例えば水玉模様とするなど、透過部４ｂと遮光部４ａとを交互に形成した態様でなくともよく、二重のスクリーンであれば、本発明に係る作用・効果を生じさせる点で有効である。
【００８７】
また、操作ユニット６及び可動フィン７の形状、或いは取付フレーム２の固定部２２の形状等、本発明の作用・効果を生じさせる限りにおいて様々な形状とすることができる。また、操作時にスクリーン４を確実に離間させるためスクリーン４が離間する方向に移動する振り子動作を補助するスプリング等の付勢手段をさらに設けてもよい。
【００８８】
従って、特定の実施形態の例を挙げて本発明を説明したが、本発明は前述の実施形態の例に限定されるものではなく、その技術思想を逸脱しない範囲で種々変形可能である。
【産業上の利用可能性】
【００８９】
本発明によれば、昇降操作時に二重の遮蔽材を確実に離間させることができるので、二重の遮蔽材を用いるロールスクリーンの用途に有用である。
【符号の説明】
【００９０】
１  ロールスクリーン
２  取付フレーム
２ａ，２ｂ  支持部材
３  操作コード
４  スクリーン
４ａ  遮光部
４ｂ  透過部
５  ウェイトバー
５ａ  ウェイトバーの開口部
５ｂ  案内部材
６  操作ユニット
６ａ  第１操作ユニット部材
６ｂ  第２操作ユニット部材
６ｃ  第１コード案内部材
６ｄ  第２コード案内部材
７  可動フィン
８  ブラケット
９  巻取パイプ
１０  操作プーリー
１１  固定軸
２１  支持部
２２  固定部
６１  操作ユニットの突出片
７１  補助部材
７２  フィンカバー
【図１】
2020094488.tif 000003
【図２】
2020094488.tif 000004
【図３】
2020094488.tif 000005
【図４】
2020094488.tif 000006
【図５】
2020094488.tif 000007
【図６】
2020094488.tif 000008
【図７】
2020094488.tif 000009
【図８】
2020094488.tif 000010
【図９】
2020094488.tif 000011
【図１０】
2020094488.tif 000012